(57)【要約】  本発明は、無線アイロン保管ケースに関し、さらに詳細には、蓋をひっくり返してアイロンを載置することができるように受け台が形成されたアイロン保管ケースの受け台の後方に電源供給部を形成させて、無線アイロンを使用できるようにし、無線アイロンを安全に保管できる無線アイロン保管ケースに関する。  一般的なアイロン保管ケースにおいて、無線アイロンを保管できる筺体を備えるもののの、内部下端には、コードリールと底板とが形成され、後方の一側に電源供給部が形成された本体と、前記本体の上端を開閉できるようにするものの、上端に取っ手が形成され、下端にスライド部、電源接続装置、及び突出部で形成されたことを特徴とする。  本発明は、無線アイロンの使用が便利であり、かつ本体の下端に熱に強い底板とコードリールとが形成されて、無線アイロンとコード線との保管が容易であるという効果がある。【選択図】図２
2009507555.tif 000002
【特許請求の範囲】
【請求項１】
無線アイロンを保管できる大きさの筺体で構成され、上端の一側にロック装置が形成され、その内部には上部が開口された空間部が形成され、前記空間部の後方に複数のホールが形成された本体と、
前記本体の上部を開閉できるように構成され、上部には固定された取っ手が形成され、外周縁に上部固定溝が形成され、
前記上部固定溝の一側に固定あごが形成され、前記取っ手の下端にアイロンを傾斜するように載置しうる受け台が形成され、外周縁には前記上部固定溝と対応するように下部固定溝が形成された蓋で構成された一般的なアイロン保管ケースであって、
前記本体のホールの上端に電源線が接続した電源供給部が形成され、前記空間部の下端に一定長さで突出した複数の支持台が形成され、前記支持台の上端に本体の内周縁に密着されるものの、熱に強い底板が形成され、前記支持台と底板との間に前記電源供給部の電源線と接続されコード線が巻かれたコードリールが形成され、
前記蓋の受け台の前方には、傾斜するように形成されたスライド部が形成され、後方には無線アイロンの電源が供給されうる電源接続装置が形成され、前記上部固定溝の後方の一側に本体の電源供給部に挿入されうる突出端子が形成されたことを特徴とする無線アイロン保管ケース。
【請求項２】
前記電源供給部は、挿入ホールの形成された本体、接触端子、及びスプリングを有し、
前記本体は、２つの挿入ホールが形成されるものの、上下端が開放され、接触端子、スプリング及び固着部が順に各々挿入されるものの、挿入ホールの上端内周縁には固定あごが形成され、
前記接触端子は、固着部の中央に電源線が通過でき、電源線の先端が前記接触端子にハンダ付けされて電源が通電できるように形成されたことを特徴とする請求項１に記載の無線アイロン保管ケース。
【請求項３】
前記突出端子は、電源供給部の挿入ホールに各々挿入されうるように形成され、各々の突出端子の先端には、前記電源接続装置に電源を供給するように結合されて形成されたことを特徴とする請求項１に記載の無線アイロン保管ケース。
【請求項４】
前記電源接続装置は、無線アイロンの後方に電源接触部に対応するように形成され、前記突出端子と通電されうるように形成されたことを特徴とする請求項１に記載の無線アイロン保管ケース。
【請求項５】
本体のコード線、コードリール、及び電源接続装置を除去し、受け台の後方にコード線が形成されたことを特徴とする請求項１に記載の無線アイロン保管ケース。
【発明の詳細な説明】
【技術分野】
【０００１】
本発明は、無線アイロン保管ケースに関し、さらに詳細には、蓋をひっくり返してアイロンを載置することができるように、受け台が形成されたアイロン保管ケースの受け台の後方に電源供給部を形成させて無線アイロンを使用することができるようにし、無線アイロンを安全に保管できるようにした無線アイロン保管ケースに関する。
【背景技術】
【０００２】
今日、アイロンは、服のシワを伸ばすために用いられる生活の必須品としてほとんどすべての家庭で使用しつつある。しかしながら、このように我々の日常生活で広く使用している生活必須品であるにもかかわらず、便利かつ機能性を有するアイロン保管ケースはないのが実情であった。
【０００３】
一般に、アイロンは、有線アイロンと無線アイロンとに区分されるが、前記有線アイロンは、電源線がアイロンの後方に直接接続されて電源を供給されるように形成されたものであり、前記無線アイロンは、電源線が接続した電源供給部にアイロンの後方に形成された電源接触部を接触させて、アイロンの内部に形成された充電用電池を充電させて使用するか、又は接触される間だけアイロンの熱板を加熱して使用できるように形成される。
【０００４】
特に、アイロンの熱板は、高温に加熱されているので、熱板が冷めるまで保管するのが極めて不便であり、かつ安全事故の危険がある等の問題点があった。
【０００５】
上記の問題点を解決することを目的として、本願の出願人は、図８のように、アイロン保管ケースを開発して、韓国特許登録公報第４７６７５９号に開示したことがある。
【０００６】
前記アイロン保管ケースは、アイロンを保管できる大きさの筺体で構成され、内部には、上部の開口された空間部２１を有する。その空間部２１の底面には、アイロンの加熱板を底面から一定距離離隔させるための突出部２２と、前記突出部２２の上部には、離隔された位置にシリコンが設置された本体２０と、前記本体２０の上部を開閉するように構成され、上部には固定された取っ手３１と、上部周縁部に上部固定溝３２をなしており、底面の下部周縁部に下部固定溝３３を形成して、底面の中央に使用中のアイロンを傾斜するように置くことができる受け台３４が設置される。前記受け台３４の一側は、傾斜受け台３５を形成して、その傾斜受け台３５の上部は、傾斜した傾斜面をなしており、前記傾斜面には、離隔された位置に加熱されたアイロンと当接しても熱に耐えることができるシリコン３７を設置して、前記傾斜受け台３５の後方には、前記アイロンが押されるのを防止するための後退防止あご３６を有する蓋３０を含んで形成される。
【０００７】
しかしながら、前記従来のアイロン保管ケースは、有線アイロン用として生産されており、無線アイロンには使用できないという問題点があった。
【発明の開示】
【発明が解決しようとする課題】
【０００８】
本発明は、上述の問題点に鑑みてなされたもので、その目的は、蓋をひっくり返してアイロンを載置して使用することができる受け台の形成されたアイロン保管ケースに無線アイロンを使用可能にすることによって、無線アイロンの使用が便利であり、かつ無線アイロンの保管及びコード線の保管が容易な無線アイロン保管ケースを提供することにある。
【課題を解決するための手段】
【０００９】
上記の目的を達成すべく、本発明は、無線アイロンを保管できる大きさの筺体で構成され、上端の一側にロック装置が形成され、その内部には上部が開口された空間部が形成され、前記空間部の後方に複数のホールが形成された本体と、前記本体の上部を開閉できるように構成され、上部には固定された取っ手が形成され、外周縁に上部固定溝が形成され、前記上部固定溝の一側に固定あごが形成され、前記取っ手の下端にアイロンを傾斜するように載置しうる受け台が形成され、外周縁には前記上部固定溝と対応するように下部固定溝が形成された蓋で構成された一般的なアイロン保管ケースであって、前記本体のホールの上端に電源線が接続した電源供給部が形成され、前記空間部の下端に一定長さで突出した複数の支持台が形成され、前記支持台の上端に本体の内周縁に密着されるものの、熱に強い底板が形成され、前記支持台と底板との間に前記電源供給部の電源線と接続されコード線が巻かれたコードリールが形成され、前記蓋の受け台の前方には、傾斜するように形成されたスライド部が形成され、後方には無線アイロンの電源が供給されうる電源接続装置が形成され、前記上部固定溝の後方の一側に本体の電源供給部に挿入されうる突出端子が形成されたことを特徴とする。
【発明を実施するための最良の形態】
【００１０】
以下、本発明を好ましい実施の形態と添付された図面とを参照して詳細に説明する。
【００１１】
図１〜図６において、本発明は、無線アイロン１００を保管できる大きさの筺体で構成され、上端の一側にロック装置２５０が形成され、その内部には上部が開口された空間部２１０が形成され、前記空間部２１０の後方に複数のホール２４０が形成された本体２００と、
前記本体２００の上部を開閉できるように構成され、上部には固定された取っ手３１０が形成され、外周縁に上部固定溝３２０が形成され、前記上部固定溝３２０の一側に固定あご３７０が形成され、前記取っ手３１０の下端に無線アイロンを傾斜するように載置しうる受け台３５０が形成され、外周縁には前記上部固定溝３２０と対応するように下部固定溝３４０が形成された蓋３００で構成された一般的なアイロン保管ケースであって、
前記本体２００のホール２４０の上端に電源線２７０が接続した電源供給部２８０が形成され、前記空間部２１０の下端に一定長さで突出した複数の支持台２２０が形成され、前記支持台２２０の上端に本体２００の内周縁に密着されるものの、熱に強い底板２６０が形成され、前記支持台２２０と底板２６０との間に前記電源供給部２８０の電源線２７０と接続されコード線が巻かれたコードリール２３０が形成され、
前記蓋３００の受け台３５０の前方には、後方に傾斜するように形成されたスライド部３５６が形成され、後方には無線アイロン１００の電源が供給されうる電源接続装置３５２が形成され、前記上部固定溝３２０の後方の一側に本体２００の電源供給部２８０に挿入されうる突出端子３３０が形成される。
【００１２】
前記電源供給部２８０は、挿入ホール２８０ｂの形成された本体２８０ａ、接触端子２８０ｄ、及びスプリング２８０ｅを有する。
【００１３】
前記本体２８０ａには、２つの挿入ホール２８０ｂが形成されるものの、前記各々の挿入ホール２８０ｂは、上下端が開放され、接触端子２８０ｄ、スプリング２８０ｅ及び固着部２８０ｃが順に各々挿入され、上端内周縁には固定あご２８０ｆが形成される。
【００１４】
前記固着部２８０ｃの中央には電源線が通過でき、電源線２７０の先端が前記接触端子２８０ｄにハンダ付けされて電源が通電できるように形成される。
【００１５】
前記突出端子３３０は、上部固定溝の後方の一側に形成されるが、蓋３００をひっくり返して上部固定溝３２０が本体２００の上端の外周縁に固着されるとき、前記電源供給部２８０と対応して接触できる位置に形成される。
【００１６】
前記突出端子３３０は、電源供給部２８０の挿入ホール２８０ｂに各々挿入されうるように形成され、各々の突出端子の先端には、前記電源接続装置３５２に電源を供給するように結合される。
【００１７】
前記スライド部３５６は、蓋３００をひっくり返したとき、前方から後方へ傾斜するように形成されるものの、上端の前／後方に２つの回転装置３５６ａが形成される。
【００１８】
前記回転装置３５６ａは、熱に強い回転輪３５６ｂが２個ずつ形成されて、無線アイロン１００がスライド部３５６に載置されたとき、熱板１００ａが回転輪３５６ｂに接しながら後方に滑り落ちるように形成される。
【００１９】
前記ホール２４０は、無線アイロン１００の熱板１００ａが加熱した状態で保管するとき、空気が内部に循環されて迅速に熱板１００ａの熱が冷めるように形成される。
【００２０】
前記支持台２２０は、コードリール２３０が設置されうるように空間を確保するためのものであって、円柱形状に突出して形成される。
【００２１】
前記コードリール２３０は、一般にぜんまいスプリング（図示せず）が設置されてコード線２９５が自動的に巻き取られるように形成されるが、前記コード線２９５は、電源コード２９０を介して電源を供給されて電源線２７０に通電させ、これは、接触端子２８０ｄまで電源を通電させうるように形成される。
【００２２】
前記コード線２９５は、巻き取りボタン２３２を押さえてぜんまいスプリングを解除させることによって、コードリール２３０に巻かれることである。
【００２３】
前記底板２６０は、熱によく耐えることができる材質で前記本体２００の内周縁と密着されるように形成されるものの、外周縁は、一定の高さに本体２００の内周縁に密着される。
【００２４】
前記電源接続装置３５２は、無線アイロン１００の後方に電源接触部が挿入されうるように対応して形成され、前記突出端子３３０と電気が通電できるように接続される。
【００２５】
以下、本発明のさらに他の実施の形態として、図７のように、本体２００のコードリール２３０のような装置を除去して、受け台３５０の後方にコード線２９５が形成されて前記電源接続装置３５２に電源が供給されうるように形成してもよい。
【００２６】
前記コード線２９５は、蓋を閉じるとき、本体２００の内部に入れるとすっきりと保管され、コードリール２３０のような複雑な装置がないから生産費が低減されるという効果がある。
【００２７】
以下、本発明の実施の形態として形成された無線アイロン保管ケースの作動方法を説明する。
【００２８】
無線アイロン１００を使用することを目的として、前記本体２００のロック装置２５０を解除し蓋３００を開けて空間部２１０から無線アイロン１００を取り出した後、前記蓋３００を受け台３５０が上端になるようにひっくり返して、上部固定溝３２０を本体２００の上端の外周縁に載置して固着させると、蓋３００の上部固定溝３２０に形成された突出端子３３０が本体２００の電源供給部２８０に挿入されつつ接触端子２８０ｄを押さえて、電源接続装置３５２に電源が供給される。
【００２９】
以後、前記本体２００の下端に形成されたコードリール２３０に巻かれた電源線２７０を外部に引っ張って使用に適当な長さにした後に、電源コード２９０を電源コンセントに接続して、前記無線アイロン１００を受け台３５０のスライド部３５６に載置すると、回転輪３５６ｂが回転しつつスライディングされて無線アイロン１００の後方に形成された電源接触部が電源接続装置３５２に挿入される。
【００３０】
無線アイロン１００の使用を終了すると、電源コード２９０を電源コンセントから取り外して本体２００の側面に形成された巻き取りボタン２３２を押さえてコード線２９５をコードリール２３０に巻いて入れ、熱板１００ａが加熱された無線アイロン１００をそのまま底板２６０の上端に載置した後、蓋３００をひっくり返して下部固定溝３２０が本体２００の上端の外周縁に固着されるようにロックして保管する。
【００３１】
本発明のさらに他の実施の形態として形成された無線アイロン保管ケースに接続しているコード線２９５は、無線アイロン１００を本体２００に挿入させた後にその上端に載置して、蓋３００を閉じて保管する。
【００３２】
上記のように、本発明の無線アイロン保管ケースによると、無線アイロンの使用が便利であり、かつ熱板が加熱された状態でも無線アイロンを安全に保管でき、コード線の整理が容易であるから保管に便利であるという効果がある。
【図面の簡単な説明】
【００３３】
【図１】図１は、本発明の実施の形態として形成された無線アイロン保管ケースの斜視図である。
【図２】図２は、本発明の実施の形態として形成された無線アイロン保管ケースの開封斜視図である。
【図３】図３は、本発明の実施の形態として形成された無線アイロン保管ケースの電源供給部の分離斜視図である。
【図４】図４は、本発明の実施の形態として形成された無線アイロン保管ケースの断面図及び部分拡大図である。
【図５】図５は、本発明の実施の形態として形成された無線アイロン保管ケースの作動状態図である。
【図６】図６は、本発明の実施の形態として形成された無線アイロン保管ケースの無線アイロンの保管状態図である。
【図７】図７は、本発明のさらに他の実施の形態として形成された無線アイロン保管ケースの開封斜視図である。
【図８】図８は、従来のアイロン保管ケースの開封斜視図である。
【符号の説明】
【００３４】
１００      無線アイロン
２００      本体
２１０      空間部
２２０      支持台
２３０      コードリール
２４０      ホール
２５０      ロック装置
２６０      底板
２７０      電源線
２８０      電源供給部
２９０      電源コード
３００      蓋
３１０      取っ手
３２０      上部固定溝
３３０      突出端子
３４０      下部固定溝
３５０      受け台
３５２      電源接続装置
３５６      スライド部
３７０      固定あご
【図１】
2009507555.tif 000003
【図２】
2009507555.tif 000004
【図３】
2009507555.tif 000005
【図４】
2009507555.tif 000006
【図５】
2009507555.tif 000007
【図６】
2009507555.tif 000008
【図７】
2009507555.tif 000009
【図８】
2009507555.tif 000010
【国際調査報告】
2009507555.tif 000011
2009507555.tif 000012